(57)【要約】  基地局が、補助上りリンク部分を有するセルを（例えば、異なる周波数上で、および／または異なる技術を使用して）運用するセルラ通信システムを開示する。前記基地局は、セル選択を実行するＵＥ（Ｕｓｅｒ  Ｅｑｕｉｐｍｅｎｔ：ユーザ機器）を支援するために、そのカバレッジエリア内における前記ＵＥのオフセットをブロードキャストする。具体的には、前記ＵＥは、前記基地局のセルがセル選択における適切な候補であるか否かを、前記セルの測定、オフセット、および前記補助上りリンク部分を用いて通信を行う前記ＵＥのケイパビリティに基づいて決定し、前記ＵＥが前記補助上りリンク部分を用いて通信を行うことができる場合、前記ＵＥは前記オフセットに基づいてセル（再）選択を行い、前記ＵＥが前記補助上りリンク部分を用いて通信を行うことができない場合、前記ＵＥは前記セル（再）選択におけるオフセットを無視する。【選択図】図１
2020535715.tif 000002
【特許請求の範囲】
【請求項１】
セルラ通信システム内のＵＥ（Ｕｓｅｒ  Ｅｑｕｉｐｍｅｎｔ：ユーザ機器）によって実行される方法であって、
ＵＬ（ＵｐＬｉｎｋ：上りリンク）通信をＵＬおよびＤＬ通信用の第１のキャリアまたは補助ＵＬキャリアのいずれかで受信するように構成された基地局によって運用されるセルの選択に使用するセル選択情報を前記基地局から受信することと、
前記セルで受信された信号の測定を行うことと、
前記測定の結果と、前記受信したセル選択情報から取得されたパラメータと、前記セル内において前記補助ＵＬキャリアの使用をサポートする前記ＵＥのケイパビリティに基づいて前記セルが少なくとも１つのセル選択基準を満たすか否かを決定することとを含み、
前記ＵＥが前記セル内において前記補助ＵＬキャリアの使用をサポートする場合、前記パラメータは第１のセル選択情報から取得され、
前記ＵＥが前記セル内において前記補助ＵＬキャリアの使用をサポートしない場合、前記パラメータは前記第１のセル選択情報とは異なる第２のセル選択情報から取得される、方法。
【請求項２】
システム情報のブロードキャスト中で前記セル選択情報を受信することをさらに含む、請求項１に記載の方法。
【請求項３】
前記第１のセル選択情報は、前記ＵＥが前記セル内において前記補助ＵＬキャリアの使用をサポートする場合に前記測定の結果と比較するための少なくとも１つのセル選択パラメータを含み、前記第２のセル選択情報は、前記ＵＥが前記セル内において前記補助ＵＬキャリアの使用をサポートしない場合に前記測定の結果と比較するための少なくとも１つの異なるセル選択パラメータを含む、請求項１または請求項２に記載の方法。
【請求項４】
前記少なくとも１つのセル選択パラメータは、セル固有の（例えば、前記セルおよび／または前記補助ＵＬキャリアに依存する）セル選択パラメータを含む、請求項３に記載の方法。
【請求項５】
前記少なくとも１つのセル選択パラメータは、最低限必要な受信信号レベル値（例えば、前記最低限必要な受信信号レベル値である「Ｓｒｘｌｅｖ」）を含む、請求項３または請求項４に記載の方法。
【請求項６】
前記決定に基づいて、前記セルでのキャンプと、前記セルの（再）選択と、サービングセルのセットへの前記セルの追加（例えば、キャリアアグリゲーション）とのうち少なくとも１つを行うことをさらに含む、請求項１から請求項５のいずれか一項に記載の方法。
【請求項７】
前記セルは、ＮＲ（Ｎｅｗ  Ｒａｄｉｏ）または（例えば、４Ｇキャリアと共有されない、関連付けられた通信帯域幅を有する）５Ｇキャリアを含む、請求項１から請求項６のいずれか一項に記載の方法。
【請求項８】
前記補助キャリアは、ＮＲ（Ｎｅｗ  Ｒａｄｉｏ）または５Ｇキャリアとのアグリゲーションのための４ＧまたはＬＴＥ（Ｌｏｎｇ  Ｔｅｒｍ  Ｅｖｏｌｕｔｉｏｎ）キャリアである、請求項７に記載の方法。
【請求項９】
前記補助ＵＬキャリアは、複数のユーザ機器および／または複数のセル間で共有される、請求項１から請求項８のいずれか一項に記載の方法。
【請求項１０】
前記第１のキャリアは、第１の無線アクセス技術（例えば、ＮＲ（Ｎｅｗ  Ｒａｄｉｏ）または５Ｇ無線アクセス技術）に関連付けられた周波数帯域で運用され、前記補助キャリアは、第２の無線アクセス技術（例えば、ＬＴＥ（Ｌｏｎｇ  Ｔｅｒｍ  Ｅｖｏｌｕｔｉｏｎ）無線アクセス技術）に関連付けられた周波数帯域で運用される、請求項１から請求項９のいずれか一項に記載の方法。
【請求項１１】
セルラ通信システム内の基地局によって実行される方法であって、
基地局によって運用されるセルの選択に使用するセル選択情報をＵＥ（Ｕｓｅｒ  Ｅｑｕｉｐｍｅｎｔ：ユーザ機器）に送信することを含み、前記基地局は、ＵＬ（ＵｐＬｉｎｋ：上りリンク）およびＤＬ通信用の第１のキャリアまたは補助ＵＬキャリアのいずれかでＵＬ通信を受信するように構成され、
前記セル選択情報は、
前記ＵＥが前記セル内において前記補助ＵＬキャリアの使用をサポートする場合に、前記セルが少なくとも１つのセル選択基準を満たすか否かを前記ＵＥが前記セル内において受信した信号の測定結果に基づいて決定することに使用する第１のセル選択情報と、
前記ＵＥが前記セル内において前記補助ＵＬキャリアの使用をサポートしない場合に、前記セルが少なくとも１つのセル選択基準を満たすか否かを前記ＵＥが前記セル内において受信した信号の測定結果に基づいて決定することに使用する第２のセル選択情報とを含むように構成可能である、方法。
【請求項１２】
セルラ通信システム用のＵＥ（Ｕｓｅｒ  Ｅｑｕｉｐｍｅｎｔ：ユーザ機器）であって、
前記ＵＥは、トランシーバとコントローラとを備え、
前記トランシーバは、基地局によって運用されるセルの選択に使用するセル選択情報を前記基地局から受信するように構成され、前記基地局は、ＵＬ（ＵｐＬｉｎｋ：上りリンク）およびＤＬ通信用の第１のキャリアまたは補助ＵＬキャリアのいずれかでＵＬ通信を受信するように構成され、
前記コントローラは、前記セルで受信した信号の測定を行い、前記測定の結果と、前記受信したセル選択情報から取得したパラメータと、前記セル内において前記補助ＵＬキャリアの使用をサポートする前記ＵＥのケイパビリティとに基づいて、前記セルが少なくとも１つのセル選択基準を満たすか否かを決定するように構成され、
前記ＵＥが前記セル内において前記補助ＵＬキャリアの使用をサポートする場合、前記パラメータは第１のセル選択情報から取得され、
前記ＵＥが前記セル内において前記補助ＵＬキャリアの使用をサポートしない場合、前記パラメータは第１のセル選択情報とは異なる第２のセル選択情報から取得される、ＵＥ。
【請求項１３】
セルラ通信システム用の基地局であって、
前記基地局は、トランシーバとコントローラとを備え、
前記コントローラは、前記基地局によって運用されるセルの選択に使用するセル選択情報をＵＥ（Ｕｓｅｒ  Ｅｑｕｉｐｍｅｎｔ：ユーザ機器）に送信するように構成され、前記基地局は、ＵＬ（ＵｐＬｉｎｋ：上りリンク）およびＤＬ通信用の第１のキャリアまたは補助ＵＬキャリアのいずれかでＵＬ通信を受信するように構成され、
前記セル選択情報は、前記ＵＥが前記セル内において前記補助ＵＬキャリアの使用をサポートする場合に前記セルが少なくとも１つのセル選択基準を満たすか否かを前記ＵＥが前記セル内において受信した信号の測定結果に基づいて決定することに使用する第１のセル選択情報と、
前記ＵＥが前記セル内において前記補助ＵＬキャリアの使用をサポートしない場合に前記セルが前記少なくとも１つのセル選択基準を満たすか否かを前記ＵＥが前記セル内において受信した信号の測定結果に基づいて決定することに使用する第２のセル選択情報とを含むように構成可能である、基地局。
【請求項１４】
請求項１３に記載の少なくとも１つの基地局と、請求項１２に記載の少なくとも１つのユーザ機器とを備える、セルラ通信システム。
【請求項１５】
プログラム可能なデバイスを、請求項１３に記載の基地局として、または請求項１２に記載のユーザ機器として構成するためのコンピュータによって実行可能な命令を備える、コンピュータによって実行可能なプログラム。
【発明の詳細な説明】
【技術分野】
【０００１】
本発明は、通信システムに関する。特に、本発明は、３ＧＰＰ（３ｒｄ  Ｇｅｎｅｒａｔｉｏｎ  Ｐａｒｔｎｅｒｓｈｉｐ  Ｐｒｏｊｅｃｔ）規格、またはこれと同等もしくは派生の規格に従って動作する無線通信システムおよびそのデバイスに関するが、これに限定されない。特に、本発明は、ＬＴＥ（Ｌｏｎｇ  Ｔｅｒｍ  Ｅｖｏｌｕｔｉｏｎ）タイプの通信機器を備える、いわゆるＮＲ（Ｎｅｗ  Ｒａｄｉｏ）／ＮＧ（Ｎｅｘｔ  Ｇｅｎｅｒａｔｉｏｎ）／５Ｇタイプの通信機器間でのＵＬ（ＵｐＬｉｎｋ：上りリンク）共有、およびＳＵＬ（Ｓｕｐｐｌｅｍｅｎｔａｒｙ  ＵｐＬｉｎｋ：補助上りリンク）キャリア周波数の提供および使用をサポートするメカニズムに関するが、これに限定されない。
【背景技術】
【０００２】
３ＧＰＰ規格の最新動向は、ＥＰＣ（Ｅｖｏｌｖｅｄ  Ｐａｃｋｅｔ  Ｃｏｒｅ）ネットワークおよびＥ−ＵＴＲＡＮ（Ｅｖｏｌｖｅｄ  ＵＭＴＳ  Ｔｅｒｒｅｓｔｒｉａｌ  Ｒａｄｉｏ  Ａｃｃｅｓｓ  Ｎｅｔｗｏｒｋ）のＬＴＥ（Ｌｏｎｇ  Ｔｅｒｍ  Ｅｖｏｌｕｔｉｏｎ）と呼ばれ、一般に４Ｇとも呼ばれる。さらに、５ＧおよびＮＲ（Ｎｅｗ  Ｒａｄｉｏ）という用語は、種々のアプリケーションおよびサービスをサポートすることが期待される開発中の通信技術を指す。５Ｇネットワークの種々の詳細は、例えば、ＮＧＭＮ（Ｎｅｘｔ  Ｇｅｎｅｒａｔｉｏｎ  Ｍｏｂｉｌｅ  Ｎｅｔｗｏｒｋｓ）アライアンスによるＮＧＭＮ  ５Ｇ  Ｗｈｉｔｅ  Ｐａｐｅｒ  Ｖ１．０に説明されており、当該文書は、ｈｔｔｐｓ：／／ｗｗｗ．ｎｇｍｎ．ｏｒｇ／５ｇ−ｗｈｉｔｅ−ｐａｐｅｒ．ｈｔｍｌから入手可能である。３ＧＰＰは、いわゆる３ＧＰＰ  ＮｅｘｔＧｅｎ（Ｎｅｘｔ  Ｇｅｎｅｒａｔｉｏｎ）  ＲＡＮ（Ｒａｄｉｏ  Ａｃｃｅｓｓ  Ｎｅｔｗｏｒｋ：無線アクセスネットワーク）および３ＧＰＰ  ＮＧＣ（ＮｅｘｔＧｅｎ  Ｃｏｒｅ：次世代コア）ネットワークによって５Ｇをサポートすることを意図している。
【０００３】
３ＧＰＰ規格では、ＮｏｄｅＢ（またはＬＴＥにおける「ｅＮＢ」、５Ｇにおける「ｇＮＢ」など）は、通信デバイス（ユーザ機器または「ＵＥ」）がコアネットワークに接続し、他の通信デバイスまたはリモートサーバと通信を行うための基地局である。通信デバイスとしては、例えば、モバイル電話、スマートフォン、ユーザ機器、パーソナルデジタルアシスタント、ラップトップ／タブレットコンピュータ、ウェブブラウザ、電子書籍リーダなどのモバイル通信デバイスが含まれる。このようなモバイル（または一般的には固定の）デバイスは、通常、ユーザによって操作される（ただし、いわゆる「モノのネット」のデバイス、および同様のマシンタイプの通信デバイスをネットワークに接続することも可能である）。説明の簡略化のため、本出願において、基地局という用語はそのような任意の基地局を指し、モバイルデバイスまたはＵＥという用語は、そのような任意の通信デバイスを指すものとする。コアネットワーク（例えば、ＬＴＥの場合はＥＰＣ、ＮＲ／５Ｇの場合はＮＧＣ）は、加入者管理、モビリティ管理、課金、セキュリティ、および呼セッション管理（など）の機能を統括し、通信デバイスをインターネットなどの外部ネットワークに接続させる。
【０００４】
３ＧＰＰ  ＴＲ（Ｔｅｃｈｎｉｃａｌ  Ｒｅｐｏｒｔ）２３．７９９  Ｖ１４．０．０には、３ＧＰＰ規格のＲｅｌｅａｓｅ  １４用に検討されているＮｅｘｔＧｅｎ（５Ｇ）システムにおいて可能なアーキテクチャと一般的な手順とが説明されている。３ＧＰＰでは、（ＮＲ無線技術を用いる）新しい（５Ｇ）無線アクセスネットワーク用の１００ＧＨｚまでの周波数帯域を、Ｒｅｌ−１５のＮＲキャリアあたり４００ＭＨｚの最大チャネル帯域幅で使用する可能性についても、検討を進めている。特定の高周波数帯域（例えば、ｍｍＷａｖｅ帯域）に関連付けられた厳しいチャネル減衰特性を克服するために、指向性ビームフォーミングと大規模アンテナ技術を使用してもよい。「大規模アンテナ」という用語はアレイ状に配置された多数（例えば、１００本以上）のアンテナ素子を備えるアンテナを指す。このような大規模アンテナは、複数のユーザと同時に通信を行う場合に使用するのが効果的であり、それによりＭＵ−ＭＩＭＯ（Ｍｕｌｔｉ−Ｕｓｅｒ  Ｍｕｌｔｉｐｌｅ−Ｉｎｐｕｔ  ａｎｄ  Ｍｕｌｔｉｐｌｅ−Ｏｕｔｐｕｔ）送信が容易になる。ＭＵ−ＭＩＭＯの場合、基地局はＴＲＰ（Ｔｒａｎｓｍｉｓｓｉｏｎ  ａｎｄ  Ｒｅｃｅｐｔｉｏｎ  Ｐｏｉｎｔ：送受信ポイント）と呼ばれてもよい。
【０００５】
周波数の異なる複数のＵＬ（ＵｐＬｉｎｋ：上りリンク）キャリアをＵＥに構成してもよいという提案がされており、当該キャリアには、第１の周波数の少なくとも１つのＬＴＥキャリアと、第２の異なるキャリア周波数の少なくとも１つのＮＲキャリアとが含まれる。サポートされる一例において、ＵＥは、（所与の時間において）ＬＴＥキャリアとＮＲキャリアとで構成される所定のキャリアのペアのうち一方のＵＬキャリア上でのみ動作するように制限される場合がある。しかしながら、ＵＥが２つのＵＬキャリア（またはより多くのＵＬキャリア）上で同時に動作することもサポートされている。
【０００６】
さらに、ＮＲの観点（例えば、ＮＲセルの端部近く）からキャリアの下りリンクリソースのみが存在する場合や、ＮＲ周波数を使用することが最適ではない場合（例えば、ＵＥがＮＲ帯域幅全体を使用できない場合、または使用する必要がない場合）をサポートするために、（例えばＬＴＥ周波数にわたって）ＳＵＬ（Ｓｕｐｐｌｅｍｅｎｔａｒｙ  ＵｐＬｉｎｋ：補助上りリンク）周波数を設けることが提案されている。
【０００７】
３ＧＰＰでは、ＬＴＥコンポーネントキャリアの帯域幅内におけるＬＴＥ  ＵＬとＮＲ  ＵＬの共存（およびＬＴＥ  ＤＬとＮＲ  ＤＬの共存）をサポートすることが検討されている。したがって、ＬＴＥとＮＲの間で（少なくともＮＲスペクトルが６ＧＨｚ未満である場合に）共有される周波数を、ＳＵＬ周波数とする可能性がある。
【発明の概要】
【発明が解決しようとする課題】
【０００８】
本発明は、上記の提案／合意の１つ以上を効率的かつ効果的な方法でサポートまたは改善する方法およびこれに関連付けられた装置を提供することを目的とする。
【０００９】
具体的には、本発明者らは、現在の仮定に基づいて、ＮＲ下りリンクおよびＮＲ上りリンクのそれぞれのカバレッジ間において非対称性／不均衡が発生する可能性が高いと認識するに至った。言い換えれば、下りリンクと上りリンクがＮＲにおいて動作する方法によって、下りリンクにおいて、上りリンクよりも大幅に大きなエリアにサーブすることが可能である（対応するすべてのパラメータがほぼ同一の場合）。これにより、一部のＵＥは特定の基地局からＤＬ通信を受信することができるが、当該基地局にＵＬ通信を正常に送信することができない。さらに、ＵＥがＮＲ  ＵＬリソースを使用して基地局に対して送信を行うことができる場合であっても、場合によっては（少なくともＮＲ帯域幅全体を使用することのできないＵＥの場合）、ＵＬリソースの利用効率は比較的低いままである。
【００１０】
このような非対称性／不均衡は、例えば、３．５ＧＨｚ  ＮＲ帯域のＴＤＤ（Ｔｉｍｅ  Ｄｉｖｉｓｉｏｎ  Ｄｕｐｌｅｘ：時分割複信）を使用する場合に見られ、以下の仮定が該当する：
−（１２８／２５６アンテナ要素を備え、６４Ｔ６４Ｒの典型的な構成を有する）大規模ＭＩＭＯが使用されている；
−ビームスイーピングやその他の手法（パワーブースティングなど）によって、ＤＬ内のすべてのＮＲ物理共通および制御チャネルが、ＮＲ−ＰＤＳＣＨ（ＮＲ  Ｐｈｙｓｉｃａｌ  Ｄｏｗｎｌｉｎｋ  Ｓｈａｒｅｄ  Ｃｈａｎｎｅｌ：ＮＲ物理下りリンク共有チャネル）の最大ビーム形成範囲でのカバレッジと一致するか、または超えることが予想される；
−ＵＬ／ＤＬトラフィックの非対称性がＤＬに大きく偏ることが予想される（例えば、１：３から１：１０）；
−このようなトラフィックの非対称性をサポートするために、ＵＬ／ＤＬ送信時間も高度に非対称となる（例えば、少なくとも１：３）；
−ＵＥ電力がＤＬ電力よりも大幅に低く、かつ固定されている一方で、ＤＬ電力は、基地局によって使用帯域幅に合わせてスケーリングすることもできる。
【００１１】
上述に鑑みると、想定されるＵＬ（例えば、ＮＲ物理上りリンク共有チャネルであり、「ＮＲ−ＰＵＳＣＨ」とも呼ばれる）のカバレッジは、ＤＬよりも１０から１５ｄＢ低いことが考えられる（ＴＤＤにおいて、１：３の下りリンク向けのＵＬ／ＤＬフレーム構成、および１：１０のＰＵＳＣＨ／ＰＤＳＣＨデータレート非対称性）。
【００１２】
ビームフォーミングによって、３．５ＧＨｚでのＰＤＳＣＨのカバレッジは、対象とする相対的なデータレートに応じて、低ＦＤＤ（Ｆｒｅｑｕｅｎｃｙ  Ｄｉｖｉｓｉｏｎ  Ｄｕｐｌｅｘ：周波数分割複信）帯域（例えば、２０００ＭＨｚ未満で動作するＬＴＥ帯域）のＵＬカバレッジに非常に似たものとなる。
【００１３】
このような非対称性／不均衡は、３．５ＧＨｚキャリアと低ＦＤＤ帯域（またはＳＵＬ帯域）を適宜ペアリングすることで対処可能であるが、ＳＵＬが配置される場合には、セルの測定およびセルの選択が依然として問題となる可能性がある。
【課題を解決するための手段】
【００１４】
一態様において、本発明は、セルラ通信システム内のＵＥ（Ｕｓｅｒ  Ｅｑｕｉｐｍｅｎｔ：ユーザ機器）によって実行される方法であって、ＵＬ（ＵｐＬｉｎｋ：上りリンク）通信をＵＬおよびＤＬ通信用の第１のキャリアまたはＵＬ通信用の補助キャリアのいずれかで受信するように構成された基地局によって運用されるセルの選択に使用するセル選択情報を上記基地局から受信すること、上記第１のキャリアで送信された信号の測定を行うこと、および上記第１のキャリアの測定、上記受信したセル選択情報、および上記ＵＬ通信用の補助キャリアを用いて通信を行う上記ＵＥのケイパビリティに基づいて上記基地局のセルがセル（再）選択における適切な候補であるか否かを決定することを含み、上記セル選択情報は、上記ＵＥが上記ＵＬ通信用の補助キャリアを用いて通信を行うことができない場合に上記基地局のセルがセル（再）選択における適切な候補であるか否かを上記第１のキャリアの測定に基づいて決定することに使用する第１のセル選択情報と、上記ＵＥが上記ＵＬ通信用の補助キャリアを用いて通信を行うことができる場合に上記基地局のセルがセル（再）選択における適切な候補であるか否かを上記第１のキャリアの測定に基づいて決定することに使用する第２のセル選択情報とを含む、方法を提供する。
【００１５】
他の態様において、本発明は、セルラ通信システム内のＵＥ（Ｕｓｅｒ  Ｅｑｕｉｐｍｅｎｔ：ユーザ機器）によって実行される方法であって、ＲＡＮ（Ｒａｄｉｏ  Ａｃｃｅｓｓ  Ｎｅｔｗｏｒｋ：無線アクセスネットワーク）から、ＵＬ（ＵｐＬｉｎｋ：上りリンク）およびＤＬ通信用の第１キャリアまたはＵＬ通信用の補助キャリアのいずれかでＵＬ通信を受信するように構成された、上記ＲＡＮの基地局によって運用されるセルの測定に使用する測定設定を受信すること、上記受信した測定設定に基づいて上記第１のキャリアで送信された信号の測定を行うこと、および上記第１のキャリアの測定と、上記ＵＬ通信用の補助キャリアを用いて通信を行う上記ＵＥのケイパビリティとに基づいて、上記測定の結果を上記ＲＡＮに報告するか否かを決定することを含み、上記測定設定は、上記ＵＥが上記ＵＬ通信用の補助キャリアを用いて通信を行うことができない場合に上記測定の結果を上記ＲＡＮに報告するか否かを上記第１のキャリアの測定に基づいて決定することに使用する第１の測定設定と、上記ＵＥが上記ＵＬ通信用の補助キャリアを用いて通信を行うことができる場合に上記測定の結果を上記ＲＡＮに報告するか否かを上記第１のキャリアの測定に基づいて決定することに使用する第２の測定設定とを含む、方法を提供する。
【００１６】
一態様において、本発明は、セルラ通信システム内の基地局によって実行される方法であって、ＵＬ（ＵｐＬｉｎｋ：上りリンク）通信をＵＬおよびＤＬ通信用の第１のキャリアまたはＵＬ通信用の補助キャリアのいずれかで受信するように構成された上記基地局によって運用されるセルの選択に使用するセル選択情報をＵＥ（Ｕｓｅｒ  Ｅｑｕｉｐｍｅｎｔ：ユーザ機器）に送信することを含み、上記セル選択情報は、上記ＵＥが上記ＵＬ通信用の補助キャリアを用いて通信を行うことができない場合に上記基地局のセルがセル（再）選択における適切な候補であるか否かを上記第１キャリアの測定に基づいて決定することに使用する第１のセル選択情報と、上記ＵＥが上記ＵＬ通信用の補助キャリアを用いて通信を行うことができる場合に上記基地局のセルがセル（再）選択における適切な候補であるか否かを上記第１のキャリアの測定に基づいて決定することに使用する第２のセル選択情報とを含む、方法を提供する。
【００１７】
さらに他の態様において、本発明は、セルラ通信システム内のＲＡＮ（Ｒａｄｉｏ  Ａｃｃｅｓｓ  Ｎｅｔｗｏｒｋ：無線アクセスネットワーク）装置によって実行される方法であって、ＵＬ（ＵｐＬｉｎｋ：上りリンク）およびＤＬ通信用の第１キャリアまたはＵＬ通信用の補助キャリアのいずれかでＵＬ通信を受信するように構成された上記ＲＡＮの基地局によって運用されるセルの測定に使用する測定設定をＵＥ（Ｕｓｅｒ  Ｅｑｕｉｐｍｅｎｔ：ユーザ機器）に送信すること、および上記測定設定に対応する測定結果を受信することを含み、上記測定設定は、上記ＵＥが上記ＵＬ通信用の補助キャリアを用いて通信を行うことができない場合に上記測定の結果を上記ＲＡＮ装置に報告するか否かを上記第１のキャリアの測定に基づいて決定することに使用する第１の測定設定と、上記ＵＥが上記ＵＬ通信用の補助キャリアを用いて通信を行うことができる場合に上記測定の結果を上記ＲＡＮ装置に報告するか否かを上記第１のキャリアの測定に基づいて決定することに使用する第２の測定設定とを含む、方法を提供する。
【００１８】
本発明の例示的な態様は、対応する装置と、システムと、プログラム可能なプロセッサをプログラムして上記記載の例示的な態様に記載の方法および特許請求の範囲に記載の可能性を実施させ、好適に適合したコンピュータをプログラムして任意の請求項に記載の装置を提供させるように動作可能な命令を格納する、コンピュータ読取可能な記憶媒体などのコンピュータプログラム製品とに及ぶ。
【００１９】
本明細書（特許請求の範囲を含む）に開示されるおよび／または図面に示される各特徴は、他の開示されるおよび／または図示される特徴とは独立して（または組み合わせて）本発明に組み込まれてもよい。特に、特定の独立請求項に従属する請求項の特徴は、任意の組み合わせで、または個別にその独立請求項に導入することができるが、限定的ではない。
【図面の簡単な説明】
【００２０】
ここで、添付図面を参照して、本発明の例示的な実施形態の例を説明する。
【図１】図１は、本発明を適用可能なタイプのセルラ通信システムを簡略化した概略図である。
【図２】図２は、図１に示すシステムの補助上りリンクを簡略化した概略図である。
【図３】図３は、図１に示すシステムの一部を構成するユーザ機器を簡略化したブロック図である。
【図４】図４は、図１に示すシステムの一部を構成する無線アクセスネットワーク装置を簡略化したブロック図である。
【図５ａ】図５ａは、図１のシステムにおいて補助上りリンクキャリアを設ける複数の例示的な方法の簡略図である。
【図５ｂ】図５ｂは、図１のシステムにおいて補助上りリンクキャリアを設ける複数の例示的な方法の簡略図である。
【発明を実施するための形態】
【００２１】
（概要）
図１は、通信ネットワーク１を概略的に示し、ここで、ＵＥ（Ｕｓｅｒ  Ｅｑｕｉｐｍｅｎｔ：ユーザ機器）３（モバイル電話および／または他の通信デバイス）は、図示の例において、ＬＴＥ基地局または「ｅＮＢ」５−１、およびＮＲ／５Ｇ基地局または「ｇＮＢ」５−２を含むＲＡＮ（Ｒａｄｉｏ  Ａｃｃｅｓｓ  Ｎｅｔｗｏｒｋ：無線アクセスネットワーク）装置５を介して、適切なＲＡＴ（Ｒａｄｉｏ  Ａｃｃｅｓｓ  Ｔｅｃｈｎｏｌｏｇｙ：無線アクセス技術）を使用して、互いに通信を行うことができる。この例では、ＵＥ３は、ＲＡＮ５のｅＮＢ５部分を介して、少なくともＬＴＥ無線アクセス技術をサポートするＬＴＥ  ＵＥ３−１として通信を行うことができる。ＵＥ３は、ＲＡＮ５のｇＮＢ５−２部分を介して、１つまたは複数の５Ｇ無線アクセス技術をサポートするＮＲ／５Ｇ  ＵＥ３−２として通信を行うこともできる。しかしながら、ＵＥ３はＬＴＥのケイパビリティを有する必要はなく、５Ｇのケイパビリティのみをサポートしてもよいものとする。ＵＥ３は、集約されたセル（またはＣＡにおける「コンポーネントキャリア」）を介した同時通信を行うために、複数セルのリソース（ＬＴＥセルおよびＮＲセルのリソースを含む）を束ねるＣＡ（Ｃａｒｒｉｅｒ  Ａｇｇｒｅｇａｔｉｏｎ）を実行可能であってもよい。所定のＵＥ３に割り当て可能な帯域幅を増やすためにＣＡを使用してもよく、この場合、下りリンクに使用されるセルとは異なるセルを介してＳＵＬ（Ｓｕｐｐｌｅｍｅｎｔａｒｙ  ＵｐＬｉｎｋ：補助上りリンク）リソースを提供するために、ＣＡを使用してもよい。
【００２２】
当業者が理解するように、図１には、（３つの有効なＵＥ構成を有する）１つのモバイルデバイス３および１つの基地局５が例示目的で示されているが、通常のシステム実装時には、他の基地局およびモバイルデバイスも含まれる。例えば、ＬＴＥおよびＮＲセルは、それぞれ異なる基地局を介して適宜提供してもよい。
【００２３】
この例では、ＲＡＮのｅＮＢ５−１とｇＮＢ５−２は、１つまたは複数の関連付けられたセルを運用する各基地局と同一位置に配置される。ＵＥ３は、適切なセル（位置に応じて、または信号の状態、サブスクリプションデータ、ケイパビリティなど適宜他の要因に応じて）との接続を、当該セルを運用する適切な基地局５−１および５−２と無線リソース制御（ＲＲＣ）接続を確立することにより行うことができる。
【００２４】
ＲＡＮ５は、適切なインタフェースを介してコアネットワーク７に接続される。コアネットワーク７は、ｇＮＢ５−２を介してＵＥ３の通信をサポートするために必要なＮＲ／５Ｇ機能を備える。コアネットワーク７は、例えば、コントロールプレーン管理、ユーザプレーン管理、モビリティ管理などを行う機能を備える。コアネットワーク７は、ｅＮＢ５−１を介してＵＥ３の通信をサポートするためのＥＰＣ機能を部分的または完全に備える。
【００２５】
ＵＥ３およびＲＡＮ５は、複数のキャリア（または「コンポーネントキャリア」）を用いて、ＵＥ３からＲＡＮ５へＵＬ（ＵｐＬｉｎｋ：上りリンク）通信を行うとともに、ＲＡＮ５からＵＥ３へＤＬ（ＤｏｗｎＬｉｎｋ：下りリンク）通信を行うように構成される。これらのＵＬおよびＤＬキャリアは、複数の異なるキャリア周波数上で動作する。この例では、ＵＬキャリアには、ＳＵＬ（Ｓｕｐｐｌｅｍｅｎｔａｒｙ  ＵｐＬｉｎｋ：補助上りリンク）周波数（図示の例ではＦ１）、上のＳＵＬキャリアと、可能であれば少なくとも１つの他の周波数（例えば、ＳＵＬキャリアのものとは異なる、対応するＵＬ周波数（Ｆ２と、ＤＬおよびＵＬ通信の両方がＦ３に構成されている場合には、Ｆ３も可能）上のＮＲ  ＵＬキャリア）とが含まれる。この例では、ＳＵＬキャリアは、ＬＴＥで使用される範囲の周波数上にあるため、ＬＴＥとＮＲとで適宜共有することができる（例えば、ＬＴＥ  ＵＬとＮＲ  ＵＬがＬＴＥ周波数のＵＬサブフレームを共有する場合）。しかしながら、ＳＵＬキャリアは個別ＮＲ  ＵＬキャリアであって、かつＬＴＥに通常使用されない周波数範囲で動作してもよいし、あるいは、ＳＵＬキャリアは、ＮＲ  ＵＬ専用に使用されるＬＴＥ帯域／キャリアであってもよいものとする。ＵＬキャリアには、他のＵＬキャリア（例えば、別の周波数のＬＴＥ専用のＵＬキャリア）が含まれてもよい。ＤＬキャリアは、この例では、ＵＬ（ＵｐＬｉｎｋ：上りリンク）周波数とは異なる周波数（Ｆ３）でＮＲ  ＤＬ送信を行うための少なくとも１つのキャリアと、ＮＲ  ＤＬ周波数とは異なる周波数（Ｆｎ）でＬＴＥ  ＤＬ送信を行うための少なくとも１つのキャリアを含む。
【００２６】
図２は、ＮＲ帯域／高周波数（左）にＤＬおよびＵＬ部分を持ち、ＬＴＥ帯域／低周波数（右）にＳＵＬを持つＮＲセルの例を示す。この例では、ＳＵＬは、ＮＲ技術によって動作しながらも、ＬＴＥ帯域（例えば、キャリアＦ１）で動作する。この図に示すように、セル全体（ＵＬおよびＤＬの両方）を見た場合、ＳＵＬを有するセルは、ＳＵＬを有さないセル（すなわち、左側の図のみを見た場合）よりもカバレッジが大きいが、これは、ＮＲカバレッジは、ＤＬカバレッジおよびＵＬカバレッジの両方を有する領域（左側の小さい点線領域）においてのみ完全に使用可能であるためである。ＮＲキャリアとＳＵＬとは説明の目的のために図２に別々に示されているが、これらは通常同一の基地局装置（例えば、ｇＮＢ５−２）によって運用されるものとする。
【００２７】
より詳細には、ＮＲ−ＰＤＳＣＨのカバレッジは、（同一または同様の条件下では）ＮＲ−ＰＵＳＣＨのカバレッジよりも１０から１５ｄＢ程度高くなる。これは、展開されたシステムにおいて、同一セルにおいて、ＮＲ−ＰＵＳＣＨを介したＵＥ３から基地局５への正常な上りリンク送信が保証される最大距離よりもさらに基地局５から遠方のＮＲ−ＰＤＳＣＨを、ＵＥ３が受信できる可能性があることを意味する。これは、上述した、ＮＲ下りリンクとＮＲ上りリンクのそれぞれのカバレッジの非対称性／不均衡による（例えば、下りリンク上のビームフォーミングおよび／または基地局５による電力スケーリングによる）ものである。
【００２８】
ただし、この例では、ＳＵＬは異なる周波数（キャリア）を介して提供され、これは、好ましくは、ＮＲ−ＰＤＳＣＨ周波数（キャリア）よりもＵＥ３のＵＬカバレッジをさらに向上させることのできる周波数である。具体的には、より低い周波数帯域（例えば、ＬＴＥキャリアＦ１）を用いて、ＮＲ−ＰＤＳＣＨのカバレッジに匹敵するカバレッジを有するＳＵＬを提供してもよい（例えば、これらは実質的に同一であってもよい）。したがって、右側に示すように、ＵＥ３は、ＳＵＬを使用して、（ＮＲ−）ＰＵＳＣＨおよび（ＮＲ−）ＰＵＣＣＨを介して信号を送信することができる。
【００２９】
なお、図２は、いわゆるＳＲＳ（Ｓｏｕｎｄｉｎｇ  Ｒｅｆｅｒｅｎｃｅ  Ｓｉｇｎａｌ：サウンディング参照信号）も図示し、これは、ＵＥ３によって上りリンク方向に送信される参照信号である。この例では、ＳＲＳはＳＵＬを介して送信されるが、ＮＲ帯域で送信してもよい。ＳＲＳは、基地局５がより広い帯域幅にわたって上りリンクチャネル品質を推定するために使用され、ＵＥ３のタイミング調整手順の一部として上りリンクタイミングを推定するのに使用されることもある（例えば、上りリンクにＰＵＳＣＨ／ＰＵＣＣＨ送信がない場合）。
【００３０】
事実上、基地局５は、ＵＥ３を、下りリンクキャリア（例えば、ＮＲ）およびＳＵＬキャリア（例えば、ＬＴＥ）をコンポーネント／補完キャリアとして使用し、当該キャリアの両方を使用して基地局５と通信を行うように構成する。したがって、この例では、ＳＵＬをサポートするＵＥは、ＳＵＬをサポートしないＵＥよりも、比較的大きく有用な（ＵＬとＤＬを束ねた）セルカバレッジの利を得ることができる。ＮＲセルにＳＵＬコンポーネントを設けるということは、ＮＲセルのキャリアと、コンポーネントキャリアとしてのＳＵＬ帯域とでキャリアアグリゲーション（ＣＡ）を行うことに類似しているものとする。
【００３１】
このようなＳＵＬは、ＮＲ無線アクセス技術でのみ使用するスタンドアローンＳＵＬとして提供してもよいものとする（この場合、当該ＳＵＬの上りリンクリソースはＬＴＥ  ＵＥと共有されない）。ただし、ＳＵＬは、ＮＲ  ＵＥとＬＴＥ  ＵＥの両方で使用する共有ＳＵＬとして提供してもよい。共有ＳＵＬを用いる場合、２つのオプションがある：
−ＳＵＬとＬＴＥ  ＵＬの両方を（同時に）ＵＥ３に構成しない；および
−ＬＴＥとＳＵＬの両方をＵＥ３に構成する（この場合、ＳＵＬとＬＴＥ  ＵＬは、ＴＤＭ／ＦＤＭを介して同一のスペクトルを共有してもよい）。
【００３２】
再度図１を参照すると、基地局５は、そのカバレッジエリア内のＵＥがＳＵＬ（および／または結果として生じる可能性のある、より大きなカバレッジエリア）を使用することの利を得ることができるように、当該ＵＥの初期セルアクセスを容易にするように構成される。
【００３３】
３ＧＰＰシステムでは、基地局５が、どのＵＥ３がキャンプを行うための特定のセル（例えば、ＵＥ３がＲＲＣアイドルモードまたは非アクティブモードで動作する場合）を選択するか否かを評価できるかに基づいて、当該基地局５に関連付けられたセル選択基準「Ｓ」を計算するための適切な情報（例えば、使用するパラメータおよび／またはＵＥ測定）をブロードキャストし、これにより、セル選択および初期セルアクセスが促進される。同様に、そのようなセル選択基準Ｓは、適切なハンドオーバーセル（例えば、隣接セル）を選択する場合に使用してもよい。セル選択基準Ｓは一連の副基準を含み、これは、例えば、セル選択受信（ＲＸ）レベル値（ｄＢ）を指定する副基準である「Ｓｒｘｌｅｖ」と、セル選択品質値（ｄＢ）を指定する副基準である「Ｓｑｕａｌ」とで構成される。所定のセルについて、Ｓｒｘｌｅｖ＞０およびＳｑｕａｌ＞０が成立する場合、当該セルについてセル選択基準Ｓが満たされる。
【００３４】
有利には、このシステムでは、ＵＥ３（ＳＵＬが可能であると想定する）は、そのセルについてのセル選択基準Ｓが満たされていない場合であっても、ＳＵＬコンポーネントを有する適切な（ＮＲ）セルを選択することができるため、ＳＵＬを介して得ることのできる、（セルのみを介した場合よりも）比較的大きな上りリンクカバレッジの利を得ることができる。
【００３５】
より詳細には、基地局５は、隣接セルの基地局のセルに対するＵＥ３の初期アクセスを容易にするのに適したセル選択基準Ｓを送信（ブロードキャスト）するように構成される。この場合のセル選択基準Ｓは、基地局５によってブロードキャストされるシステム情報内のＳＵＬ関連オフセットおよびＳＵＬ情報（例えば、帯域、チャンネル番号など）を含む。したがって、事実上、ＵＥ３は、セル選択基準Ｓを（オフセットによって示される量だけ）緩和することで、本来（オフセットを勘案しない、当該セル選択基準Ｓのみに基づくと）最小セル選択基準を満たさないセルを選択するように構成してもよい。図２に示す例では、左側の図に示す点線領域（ＵＬおよびＤＬの両方をそのＮＲキャリア（例えば、Ｆ２／Ｆ３）を介して提供することのできるｇＮＢ５−２のカバレッジを表す）の代わりに、ＵＥ３は、右側の図に示す大きな点線領域（ＳＵＬ（例えば、Ｆ１）のカバレッジを表す）内のセルを選択することができるという利点を受けて、キャリア（この例では、Ｆ１＋Ｆ３）を（例えば、キャリアアグリゲーションによって）束ねて、ＵＬ通信およびＤＬ通信の両方を行うことができる。
【００３６】
別の場合において、オフセットは、（最小セル選択基準を満たしてはいるが）ＳＵＬ関連オフセットを考慮に入れなければ最良セルとして選択されないセルを、ＵＥ３が選択するのを助けるのに有用である（すなわち、特定のセルがＵＥ３によって選択される可能性を高めるためにオフセットを使用してもよい）。
【００３７】
有利には、オフセットは、ＵＥ３によってＳの２つの副基準（ＳｒｘｌｅｖおよびＳｑｕａｌ）のいずれか一方または両方に適用されてもよく、それぞれのオフセット数値は異なってもよい。
【００３８】
したがって、ＵＥ３は、選択したセルとともに提供されるＳＵＬの効果を考慮に入れて、適切なセル（例えば、キャンプ用）を選択することができる。一方で、セルにＳＵＬが提供されていない場合（またはＵＥ３がそのＳＵＬセルの組み合わせを使用することができない場合）、ＵＥ３は、通常の方法でセル選択基準Ｓを適用することができ、これにより、ＵＥ３がそのセルのＰＵＳＣＨの外側にいる間に（ＰＤＳＣＨのカバレッジ内であるか否かに関わらず）ＮＲセルを選択するのを防止することができる。特定のセルにＳＵＬが提供されているかどうかを考慮に入れて、ＵＥ３が適切なセル選択を行うのを助けるために、このシステムの基地局は、関連付けられた任意のＳＵＬ情報と適用可能なＳＵＬオフセットとを含む、当該基地局のセルに適用可能な周波数設定を互いに共有するように構成されている。そのような情報（周辺ＳＵＬ情報）は、ＵＥ３がアイドルモードセルを（再）選択するのを支援するために、各基地局５によってブロードキャストされてもよい。さらに、基地局５がＵＥ３を（例えば、接続モードモビリティ手順の一部として）セル測定用に設定する場合、基地局５は、任意のそのような周辺ＳＵＬ情報（例えば、オフセット）を当該測定設定に含む（または適用する）こともできる。
【００３９】
（ＳＵＬ）オフセットは、周波数固有のオフセット（例えば、当該周波数上のすべてのＮＲセルが同一／類似のＳＵＬとペアリングする場合）、またはセル固有のオフセット（それ以外の場合など）を含んでよいものとする。
【００４０】
ＵＥ３は、例えば、ＵＥ３がＳＵＬのケイパビリティがあり、かつ特定のキャリアの組み合わせをサポートする場合のみ、および／または、ＵＥ３が主に下りリンク（または上りリンク）データを有する場合などの条件下で、および／または、ＵＥ３に関連付けられた優先度および／またはＵＥ３が利用するサービスに応じて、そのセル選択時においてＳＵＬオフセット／情報を適用するように構成してもよいものとする。
【００４１】
（ユーザ機器）
図３は、図１に示すＵＥ３の主な構成要素（例えば、モバイル電話、他のユーザ機器など）を示すブロック図である。図示のように、ＵＥ３は、１つまたは複数のアンテナ３３を介してＲＡＮ５の基地局５−１および５−２機能と信号の送受信を行うように動作可能なトランシーバ回路３１を有する。モバイルデバイス３は、モバイルデバイス３の動作を制御するコントローラ３７を有する。コントローラ３７はメモリ３９に関連付けられ、トランシーバ回路３１に接続されている。ＵＥ３は、動作するうえで必ずしも必要ではないが、慣習的なモバイル電話の標準の機能（ユーザインタフェース３５など）をすべて備えてよいことは明らかであり、当該機能は、ハードウェア、ソフトウェアおよびファームウェアのいずれか１つまたはこれらの任意の組み合わせによって適宜提供されてもよい。ソフトウェアは、メモリ３９に事前にインストールしてもよいし、および／または、例えば、通信ネットワークを介して、またはＲＭＤ（Ｒｅｍｏｖａｂｌｅ  Ｄａｔａ  Ｓｔｏｒａｇｅ  Ｄｅｖｉｃｅ：リムーバブルデータ格納デバイス）から、ダウンロードしてもよい。
【００４２】
コントローラ３７は、この例では、メモリ３９内に格納されたプログラム命令またはソフトウェア命令によってＵＥ３全体の動作を制御するように構成される。図示のように、これらのソフトウェア命令は、特に、オペレーティングシステム４１、互換性のある無線アクセスネットワークにアクセスするための複数の無線アクセス技術モジュール（ＬＴＥモジュール４４やＮＲ／５Ｇモジュール４５など）を備える通信制御モジュール４３、補助上りリンクモジュール４６、およびモビリティ管理モジュール４７を含む。
【００４３】
通信制御モジュール４３は、ＵＥ３と、基地局５−１および５−２との間の通信（ならびに、モバイルデバイスやネットワークノードなど、基地局５−１および５−２に接続されるさらに別の通信デバイスとの間の通信）を制御する動作が可能である。ＬＴＥモジュール４４は、ＵＥをＬＴＥ  ＵＥ３−１として運用する役割を担い、特に、現行のＬＴＥ規格に従って動作するｅＮＢ５−１（例えば、３Ｇ／４Ｇ基地局）およびそのような基地局に接続する他のノード／デバイスとの通信を管理する。ＮＲ／５Ｇモジュール４５は、ＵＥをＮＲ／５Ｇ  ＵＥ３−２として運用する役割を担い、特に、ＮｅｘｔＧｅｎ（５Ｇ）規格に従って動作するｇＮＢ５−２およびそのようなＮｅｘｔＧｅｎ基地局に接続する他のノード／デバイスとの通信を管理する。
【００４４】
補助上りリンクモジュール４６は、ＵＥ３を、適切なＳＵＬを介して構成および通信を行うように制御する動作が可能である。そのような通信は、例えば、ＰＵＳＣＨおよび／またはＰＵＣＣＨ（ＮＲ−ＰＵＳＣＨ／ＮＲ−ＰＵＣＣＨを含む）を使用したメッセージの生成、送信、および受信を含んでもよい。他の箇所で詳細に説明されているように、ＵＥ３は、その補助上りリンクモジュール４６を使用して、ＳＵＬが有効化された特定のセルに関連付けられたオフセットを含む、ＳＵＬに必要なパラメータを（例えば、基地局５によってブロードキャストされるシステム情報／セル選択基準Ｓから）取得することができる。
【００４５】
モビリティ管理モジュール４７は、ＵＥ３のモビリティ（セル選択など）に関する手順（測定および報告を含む）を制御する動作が可能である。モビリティ管理モジュール４７は、特定のセルを選択可能か否かを検討する際に任意のＳＵＬ固有のパラメータ（補助上りリンクモジュール４６からのオフセットおよび／または他のＳＵＬ情報）を考慮に入れるように動作可能である。
【００４６】
（ＲＡＮ装置（基地局））
図４は、図１に示すＲＡＮ装置（基地局５）の主要構成要素を示すブロック図である。図示のように、ＲＡＮ装置５は、１つ以上のアンテナ５３、隣接する基地局と信号の送受信を行うための少なくとも１つの基地局インタフェース５５、およびコアネットワーク７と信号の送受信を行うための少なくとも１つのコアネットワークインタフェース５６を介して通信デバイス（ＵＥ３など）と信号の送受信を行うためのトランシーバ回路５１を有する。
【００４７】
ＲＡＮ装置５は、ＲＡＮ装置５の動作を制御するコントローラ５７を有する。コントローラ５７はメモリ５９に関連付けられている。必ずしも図４に示されてはいないが、ＲＡＮ装置５がセルラ電話ネットワーク基地局の標準の機能をすべて有することは明らかであり、当該機能は、ハードウェア、ソフトウェアおよびファームウェアのいずれか１つまたはこれらの任意の組み合わせによって適宜提供されてもよい。ソフトウェアは、メモリ５９に事前にインストールしてもよいし、例えば、通信ネットワーク１を介して、またはリムーバブルデータ格納デバイス（ＲＭＤ）から、ダウンロードしてもよい。コントローラ５７は、この例では、メモリ５９内に格納されたプログラム命令またはソフトウェア命令によってＲＡＮ装置５の全体的な動作を制御するように構成される。図示のように、これらのソフトウェア命令は、特に、オペレーティングシステム６１、対応する基地局の機能を提供するための複数の基地局モジュール（ｅＮＢモジュール６５、ｇＮＢモジュール６７など）を備える通信制御モジュール６３、および補助上りリンク管理モジュール６８を含む。
【００４８】
通信制御モジュール６３は、ＲＡＮ装置５と、ＵＥ３との間の通信（およびＲＡＮ装置５に接続される他のネットワークエンティティとの間の通信）を制御する動作が可能である。ｅＮＢモジュール６５は、ＲＡＮ装置５をｅＮＢ５−１として運用する役割を担い、特に、特に、ＵＥ３（および／または１つ以上のＬＴＥ専用ＵＥ）が現行のＬＴＥ規格に従って動作する場合に通信を管理する。ｇＮＢモジュール６７は、ＲＡＮ装置５をｇＮＢ５−２として運用する役割を担い、特に、ＵＥ３（および／または１つまたは複数のＮＲ専用ＵＥ）がＮｅｘｔＧｅｎ（５Ｇ）規格に従ってＮＲ  ＵＥとして動作する場合に通信を管理する。
【００４９】
補助上りリンク管理モジュール６８は、基地局５のカバレッジエリア内のＵＥ３を、適切なＳＵＬ（セル選択および関連付けられた測定設定を含む）を介して通信を行うように制御する動作が可能である。例えば、補助上りリンク管理モジュール６８は、ＰＵＳＣＨおよび／またはＰＵＣＣＨ（ＮＲ−ＰＵＳＣＨ／ＮＲ−ＰＵＣＣＨを含む）を使用してメッセージを生成、送信、および受信することができる。該当する場合、補助上りリンク管理モジュール６８は、ブロードキャストされるシステム情報を介して、ＵＥに、ＳＵＬ関連オフセットおよび／または他の情報（自局用、およびオプションとして隣接セル用）を提供してもよい。
【００５０】
上の説明では、理解を容易にするため、ＵＥ３および基地局５は、複数の個別モジュール（通信制御モジュールやＳＵＬ／ＳＵＬ管理モジュールなど）を備えるものとして説明された。これらのモジュールは、例えば、本発明を実施するために既存のシステムに変更を加えた特定のアプリケーションについては上述のような方法で提供することができるが、例えば最初から発明の特徴を念頭に置いて設計されたシステムなどの他のアプリケーションについては、これらのモジュールをオペレーティングシステムまたはコード全体に組み込んでもよく、この場合、これらのモジュールは個別のエンティティとして認識されなくてもよい。
【００５１】
（動作：ＳＵＬ（Ｓｕｐｐｌｅｍｅｎｔａｒｙ  ＵｐＬｉｎｋ：補助上りリンク）の提供）
図５ａは、基地局のカバレッジエリア内のユーザ機器に対し、（少なくともＤＬの場合）ＮＲキャリアとともにＳＵＬを提供する例示的なシナリオを示す。具体的には、この例では、適切なＮＲセルを介して、８０ＭＨｚのＤＬ（またはＤＬ／ＵＬ）キャリアを提供する（この場合はＴＤＤを使用するが、他のシステムではＦＤＤを使用してもよい）。例えば、基地局５のＮＲ−ＰＵＳＣＨカバレッジ内（図２の小さな点線の円）に位置するいくつかのＵＥ（この例では、「ＵＥ１」と示されるＵＥ）は、下りリンク通信と上りリンク通信の両方にＮＲキャリアを使用するように構成してもよい。
【００５２】
しかしながら、一部のＵＥ（この例では、「ＵＥ２」と示されるＵＥ）は、下りリンク通信（または下りリンクと上りリンク通信の両方）にＮＲキャリアを使用し、上りリンク通信に適切なＳＵＬキャリアを使用するように構成してもよい。この例では、ＳＵＬは追加の１０ＭＨｚキャリアを介して（適切なＦＤＤ帯域幅を使用して）提供され、互換性のあるＵＥは、基地局５との通信を行う際に、ＳＵＬとＮＲキャリアとを束ねるまたは（ＣＡを使用して）集約するように構成してもよい。
【００５３】
ビームフォーミング（および／またはｇＮＢ５−２で使用できる他の手法）によって、３．５ＧＨｚでのＮＲ−ＰＤＳＣＨのカバレッジは、（相対的なデータレートなどに応じて）低ＦＤＤ（ＬＴＥなど）帯域のＵＬカバレッジに酷似する場合がある。したがって、有利には、このような３．５ＧＨｚキャリアと低ＦＤＤ帯域（ＳＵＬ帯域）とをペアリングすることで、基地局５の全体的なカバレッジが改善する可能性がある。
【００５４】
図５ｂは、ＵＥ３に適切なＳＵＬを提供するために、ＮＲキャリアをＬＴＥキャリア（または、より低帯域の可能性がある別のＮＲキャリア）と組み合わせることのできる可能性のある複数の方法を（点線によって）示す。１つのオプション（「シナリオ１」と表示）として、ＮＲのみにおいて使用するスタンドアローンＳＵＬがある。図５ｂ中に「シナリオ２」と示される別のオプションでは、ＳＵＬは、複数の無線アクセス技術（例えば、ＴＤＭまたはＦＤＭのいずれかを使用するＮＲおよびＬＴＥ）で共有されてもよい。このシナリオは、共有または「非スタンドアローン」ＳＵＬと呼ばれてもよい。しかしながら、図５ｂに示す可能性の組み合わせはいずれも（異なるＵＥまたはＵＥのグループのための）同一基地局／ＲＡＮ内でも可能であるものとする。
【００５５】
（動作：ＳＵＬが配置される場合のセルの（再）選択）
図１に示すシステムの例においてスタンドアローンＳＵＬを使用する場合、基地局５は、基地局のセルに対するＵＥ３の初期アクセスを容易にすることのできる適切なセル選択基準Ｓを送信（ブロードキャスト）するように有利に構成してもよい。具体的には、この場合のセル選択基準Ｓは、基地局５によってブロードキャストされるシステム情報内のＳＵＬ関連オフセットおよびＳＵＬ情報（例えば、帯域、ＡＲＦＣＮ（Ａｂｓｏｌｕｔｅ  Ｒａｄｉｏ  Ｆｒｅｑｕｅｎｃｙ  Ｃｈａｎｎｅｌ  Ｎｕｍｂｅｒ：絶対無線周波数チャネル番号）など）を含む。したがって、事実上、ＵＥ３は、セル選択基準Ｓを（オフセットによって示される量だけ）緩和することで、本来（オフセットを勘案しない、当該セル選択基準Ｓのみに基づくと）最小セル選択基準を満たさないセルを（そのモビリティ管理モジュール４７を使用して）選択するように構成してもよい。
【００５６】
有利には、オフセットは、ＵＥ３によってＳの２つの副基準（ＳｒｘｌｅｖおよびＳｑｕａｌ）のいずれか一方または両方に適用されてもよく、それぞれのオフセット数値は異なってもよい。
【００５７】
基地局５によってブロードキャストされたシステム情報の受信時にＵＥ３がモビリティ手順の一部としてセル選択を行う場合、ＵＥ３は、以下のアクションの１つ以上を（そのＳＵＬモジュール４６を使用して）実行するように構成される：
−オフセットを適用する（例えば、ＵＥ３がＳＵＬのケイパビリティがあり、かつ特定のキャリアの組み合わせをサポートする場合）；
−ＵＥ３が主に下りリンクデータのみを有する場合に、オフセット／緩和したＳを適用する；および
−ＵＥ３の優先度が高い、ＵＥ３が使用／要求するサービスの優先度が高い、またはＵＥ３が特定のサービスを使用する場合に、オフセット／緩和したＳを適用する。
【００５８】
これにより、ＵＥ３は、選択したセルとともに提供されるＳＵＬの効果を考慮に入れて、キャンプに適したセルを（そのモビリティ管理モジュール４７を使用して）選択することができる。一方で、セルにＳＵＬが提供されていない場合（またはＵＥ３がそのＳＵＬセルの組み合わせを使用することができない場合）、ＵＥ３は、通常の方法でセル選択基準Ｓを適用することができ、これにより、ＵＥ３がそのセルのＰＵＳＣＨの外側にいる間に（ＰＤＳＣＨのカバレッジ内であるか否かに関わらず）ＮＲセルを選択するのを防止することができる。
【００５９】
アイドルモードモビリティ（スタンドアローンＳＵＬシナリオ）の場合、ＵＥ３と基地局５は、ＵＥによるセル選択／再選択手順の一部として、以下のアクションを実行するように構成される：
−基地局５は、関連付けられた任意のＳＵＬ情報およびＳＵＬに適用可能なオフセットを含む、隣接（セル／基地局）で使用される周波数設定を（そのＳＵＬ管理モジュール６８を使用して）取得する（これは、例えばＯＡＭ（Ｏｐｅｒａｔｉｏｎ  Ａｎｄ  Ｍａｉｎｔｅｎａｎｃｅ：運用および保守）または周辺情報交換手順を介して行ってもよい）；
−基地局５は、ＳＵＬおよび／またはＳＵＬ周波数情報の任意のオフセットを含む、（複数の）ＮＲ隣接周波数および（複数の）セルに関する情報を（その通信制御モジュール６３を使用して、システム情報内で）ブロードキャストする；
−候補セルにＳＵＬが存在する場合（かつＵＥ３がＳＵＬのケイパビリティがある／当該特定のＳＵＬを使用可能である場合）、ＵＥ３（例えば、通信制御モジュール４３を使用して必要なシステム情報を取得した後）は、（ＳＵＬモジュール４６を使用して）オフセットを適用する；および
−ＵＥ３は、そのセルに適用可能なＳＵＬ情報を取得するために、測定（隣接）セルのシステム情報を読み取る必要もある。
【００６０】
特定の（隣接）基地局のセルのＳＵＬ構成には、主に３つのオプションがあるものとする。
ケース１：特定のＮＲ周波数（Ｆ３など）で動作する全てのセルが関連付けられたＳＵＬを有しない（または、少なくとも一部のＵＥでＳＵＬを無効化する）；
ケース２：すべてのセルが同一周波数（例えば、Ｆ１）上でＳＵＬを有する（この場合、ＳＵＬに関するオフセットは周波数固有であってもよい）；および
ケース３：いくつかのセルがＳＵＬありで動作し、いくつかのセルがＳＵＬなしで動作する（この場合、ＳＵＬに関するオフセットはセル固有であってもよい）。
【００６１】
接続モードモビリティの場合、少なくとも２つのオプションがある（スタンドアローンおよび共有ＳＵＬシナリオの両方に適用可能）。
【００６２】
上述のアイドルモードモビリティの場合と同様に、第１のオプションでは、基地局５は、周辺で使用される周波数設定、関連付けられた任意のＳＵＬ情報、およびＳＵＬに適用可能なオフセットを取得する（上記のケース１から３が適用される）。
【００６３】
ＲＲＣ接続のＵＥ３の場合、基地局５は、候補ＮＲ周波数（例えば、ＳＵＬがＦ１で提供される場合、Ｆ３）について、１つまたは複数の測定対象とともに、適切な測定設定を送信するように構成される。例えば、タイプ「Ｂ２」の測定対象を使用して、追加ｇＮＢに適した測定を設定することができる（測定対象Ｂ２は、３ＧＰＰにおいて、「ＰＣｅｌｌが閾値１よりも悪化し、ＲＡＴ間隣接セルが閾値２よりも良くなる」ものと定義されている）。しかしながら、任意の適切な測定対象を使用してもよいものとする。
【００６４】
ＵＥ３がＳＵＬのケイパビリティを有するか否かを基地局５が把握していないと仮定すると、基地局５は、ＳＵＬに関連付けられた適切なオフセットとＳＵＬ情報とを測定設定／測定対象に適用する。
【００６５】
ＵＥ３は、測定中のセルの測定結果にＳＵＬオフセットを適用するように構成される（例えば、ＵＥ３が、指定の測定対象（この例ではＮＲキャリアＦ３など）を作業中に指定のＳＵＬを使用することができる場合）。
【００６６】
例えば、第２のオプションでは、ＵＥ３がＳＵＬのケイパビリティを有するか否かを基地局５が把握している場合、基地局５は、ＵＥ３がＳＵＬをサポートする場合のみ、当該ＳＵＬに関連付けられた適切なオフセットとＳＵＬ情報とを測定設定／測定対象に適用してもよい（別の場合、基地局５は、ＳＵＬオフセット／情報なしで測定を設定してもよい）。言い換えると、基地局５は、ＵＥ３の測定／報告イベントを構成する間、カバレッジ差を考慮するように構成されてもよい、すなわち、ＳＵＬオフセットを他の既存のオフセットにマージしてもよい。したがって、この場合、ＵＥ３は、セル選択時にオフセット／ＳＵＬ情報を適用するか否かを考慮する必要はない（これは、オフセット／ＳＵＬ情報が基地局５によって既に適用されているためである）。
【００６７】
（変形例および代替案）
以上、例示的な実施形態を詳細に説明した。当業者が理解するように、上記例示的な実施形態については複数の変形例および代替案が可能であり、そのようにして具現化された発明の利を得ることができる。説明のため、これらの変形例および代替案の例を一部のみ説明する。
【００６８】
例えば、例示的なシステムとして、ｅＮＢおよびｇＮＢが同一位置に配置され、複数のハードウェアおよびソフトウェアモジュールを共有する基地局（ＲＡＮ装置）を説明するが、ｅＮＢとｇＮＢは、それぞれ専用のハードウェアとソフトウェアを備える別個のものであってもよいものとする。ＲＡＮ装置は、既知の５Ｇの開発に従って、ＵＥと通信を行う少なくとも１つのＤＵ（Ｄｉｓｔｒｉｂｕｔｅｄ  Ｕｎｉｔ：分散（または「リモート」）ユニット）と、ＤＵおよびコアネットワーク間に位置するＣＵ（Ｃｅｎｔｒａｌ  Ｕｎｉｔ：中央ユニット）とで、機能を分割してもよい。例えば、上位レイヤの機能をＣＵによって提供し、下位レイヤの機能をＤＵによって提供してもよい。
【００６９】
本明細書で使用する「コンポーネントキャリア」または「キャリア」という用語は、個別の時間／周波数リソース（例えば、ＰＲＢ（Ｐｈｙｓｉｃａｌ  Ｒｅｓｏｕｒｃｅ  Ｂｌｏｃｋ：物理リソースブロック））をスケジュールすることのできる個別の通信（または「送信」）帯域幅を表し、ＵＬキャリアおよびＤＬキャリアを指すものとする。本コンテキストにおける「キャリア」という用語は、「サブキャリア」と同義ではない。「サブキャリア」という用語は、上述のようにセルラ通信システムにおいて使用される周波数の最小単位を表し、通常、所定の通信時間間隔（例えば、ＴＴＩ（Ｔｒａｎｓｍｉｓｓｉｏｎ  Ｔｉｍｅ  Ｉｎｔｅｒｖａｌ：送信時間間隔）、ミニスロット、スロット、サブフレームなど）内でグループ（通常ＰＲＢと呼ばれる）単位で割り当てられる。したがって、コンポーネントキャリアは、複数（通常は数十個）のＰＲＢで構成される送信帯域幅（ＵＬ、ＤＬ、または両方）を表し、各ＰＲＢは複数（通常１２個など多数）のサブキャリアを含む。言い換えれば、各キャリアに関連付けられた送信帯域幅は、通常、数百のサブキャリアで構成される。
【００７０】
上述の例示的な実施形態では、ＳＵＬは低ＬＴＥ帯域にわたって提供される。ただし、ＳＵＬは事実上ＮＲキャリアであり、したがって、ＮＲ無線アクセス技術を使用することができる（適宜ＬＴＥ無線アクセス技術も使用することができる）。複数の展開例において、ＳＵＬによって使用される周波数帯域はＮＲキャリアによって使用される帯域と同一であってもよいものとする。
【００７１】
接続モードモビリティに関する上の説明では、ＲＡＴ間測定対象を例として用いた。しかしながら、異なるキャリアで使用される無線アクセス技術および周波数帯域に応じて、ＲＡＴ内測定対象または周波数内測定対象を測定対象に含んでもよいものとする。
【００７２】
ＳＵＬは、事実上（ＮＲ）セルの補完部分である。通常、１つのセルはＤＬキャリアとＵＬキャリアで構成される（ＦＤＤの場合、ＤＬとＵＬは異なる周波数上に存在するが、ＴＤＤの場合、ＤＬとＵＬは同一周波数上の異なるサブフレームセットである）。ＳＵＬを備えたセルは、通常のＤＬおよびＵＬ部分に加えて、ＳＵＬ部分をさらに有してもよいものとする。つまり、ＳＵＬは必ずしもスタンドアローンセルでなくともよい。ＳＵＬは、特定のセル構成で提供してもよく、その場合、システム情報をブロードキャストすることで特定のセルがＳＵＬ部分を有することを（例えば、ＤＬシステム情報内で）示してもよい。
【００７３】
ＵＥは、セルのＤＬ部分を検出／測定し、当該測定に基づいて、このセルを選択するか、あるいは潜在的なＨＯ決定のために当該セルを報告するかを決定するように構成されている。ＵＥは、ＳＵＬを介してセルに接続する一方で、ＳＵＬまたは通常のＵＬ部分（または両方）を上りリンク送信に使用してもよい。
【００７４】
セルにＳＵＬが構成されている場合、ＵＥは当該セルについてのセル選択／再選択／ハンドオーバーをＤＬ部分の測定に基づいて行い、ＳＵＬ固有のオフセット（など）を当該ＤＬ測定に適用してもよいものとする。
【００７５】
上述の例示的な実施形態では、複数のソフトウェアモジュールを説明した。当業者が理解するように、ソフトウェアモジュールは、コンパイルされたまたはコンパイルされていない形式で提供してもよいし、コンピュータネットワークを介した信号として、または記録媒体上で、対象の装置（ＵＥ、ＲＡＮ、ｅＮＢ、ｇＮＢなど）に供給してもよい。さらに、このソフトウェアの一部またはすべてによって実行される機能は、１つまたは複数の専用ハードウェア回路を使用して実行してもよい。しかしながら、ソフトウェアモジュールは、基地局またはモバイルデバイスの更新を高速化するため、その使用が推奨される。
【００７６】
本明細書で説明した装置の一部を形成する各コントローラは任意の適切な形態の処理回路を含んでもよく、これには、例えば以下が含まれる（限定的ではない）：１つまたは複数のハードウェア実装されたコンピュータプロセッサ；マイクロプロセッサ；ＣＰＵ（Ｃｅｎｔｒａｌ  Ｐｒｏｃｅｓｓｉｎｇ  Ｕｎｉｔ：中央処理装置）；ＡＬＵ（Ａｒｉｔｈｍｅｔｉｃ  Ｌｏｇｉｃ  Ｕｎｉｔ：算術論理ユニット）；ＩＯ（Ｉｎｐｕｔ／Ｏｕｔｐｕｔ：入出力）回路；内部メモリ／キャッシュ（プログラムおよび／またはデータ）；処理レジスタ；通信バス（例えば、制御、データおよび／またはアドレスバス）；ＤＭＡ（Ｄｉｒｅｃｔ  Ｍｅｍｏｒｙ  Ａｃｃｅｓｓ）機能；およびハードウェアまたはソフトウェア実装されたカウンタ、ポインタ、タイマなど。
【００７７】
ＵＥは、上記情報（その基地局によって運用されるセルの選択に用いる情報であって、当該基地局はＵＬおよびＤＬ通信用の第１のキャリアまたはＵＬ通信用の補助キャリアのいずれかでＵＬ通信を受信するように構成されている）を、システム情報ブロードキャスト中で受信してもよい。
【００７８】
第１のセル選択情報は、ＵＥがＵＬ通信用の補助キャリアを用いて通信を行うことができない場合に第１のキャリアの測定と比較するための少なくとも１つのセル選択パラメータを含んでもよく、第２のセル選択情報は、ＵＥが当該ＵＬ通信用の補助キャリアを用いて通信を行うことができる場合に第１のキャリアの測定と比較するためのセル選択パラメータに適用する少なくとも１つのオフセットを含んでもよい。
【００７９】
当該少なくとも１つのオフセットは、セル固有のオフセット（例えば、セルおよび／または補助キャリアに依存する）および／または周波数固有のオフセットを含んでもよい。
【００８０】
当該少なくとも１つのセル選択パラメータは、受信信号レベル値（例えば「Ｓｒｘｌｅｖ」）および信号品質値（例えば「Ｓｑｕａｌ」）の少なくとも一方を含んでもよい。
【００８１】
ＵＥによって実行される方法は、当該決定に基づいて、当該セルでのキャンプ、セルの（再）選択、およびサービングセルのセットへの当該セルの追加（例えば、キャリアアグリゲーション）の少なくとも１つを実行することをさらに含んでもよい。
【００８２】
セルは、ＮＲ（Ｎｅｗ  Ｒａｄｉｏ）または（例えば、４Ｇキャリアと共有されない、関連付けられた通信帯域幅を有する）５Ｇキャリアを備えてもよい。この場合、補助キャリアは、ＮＲ（Ｎｅｗ  Ｒａｄｉｏ）または５Ｇキャリアとのアグリゲーションのための４ＧまたはＬＴＥ（Ｌｏｎｇ  Ｔｅｒｍ  Ｅｖｏｌｕｔｉｏｎ）キャリアであってもよい。当該補助キャリアは、複数のユーザ機器および／または複数のセル間で共有してもよい。
【００８３】
第１のキャリアは、第１の無線アクセス技術（例えば、ＮＲ（Ｎｅｗ  Ｒａｄｉｏ）または５Ｇ無線アクセス技術）に関連付けられた周波数帯域において運用してもよく、補助キャリアは、第２の無線アクセス技術（例えば、ＬＴＥ（Ｌｏｎｇ  Ｔｅｒｍ  Ｅｖｏｌｕｔｉｏｎ）無線アクセス技術）に関連付けられた周波数帯域において運用してもよい。第１キャリアと第２キャリアは、（運用される周波数帯域に関係なく）同一の無線アクセス技術を使用してもよい。
【００８４】
上述した第１の測定設定は、ＵＥがＵＬ通信用の補助キャリアを用いて通信を行うことができない場合に第１のキャリアの測定と比較するための少なくとも１つの閾値を識別する情報を含んでもよく、第２の測定設定は、ＵＥがＵＬ通信用の補助キャリアを用いて通信を行うことができる場合に第１のキャリアの測定と比較するための少なくとも１つの閾値に適用する少なくとも１つのオフセットを識別する情報を含んでもよい。ＵＥによって実行される方法は、基地局から当該オフセットを識別する情報を受信することをさらに含んでもよい。
【００８５】
第１のキャリアの測定は、受信信号レベル値の測定および信号品質値の測定のうちの少なくとも一方を含んでもよい。ＵＥは、個別シグナリング（例えば、ＲＲＣ（Ｒａｄｉｏ  Ｒｅｓｏｕｒｃｅ  Ｃｏｎｔｒｏｌ：無線リソース制御）シグナリング）によって少なくとも当該第１の測定設定を受信してもよい。
【００８６】
測定設定情報は、無線アクセス技術間（ＲＡＴ間）で隣接セルを測定するための測定対象（例えば、「Ｂ２」測定対象）、ＲＡＴ内隣接セルを測定するための測定対象、および周波数内隣接セルを測定するための測定対象の少なくとも１つを含んでもよく、補助キャリアは、隣接セルを含む。
【００８７】
基地局は、隣接する基地局および／またはＯＡＭエンティティから当該第２の測定設定に関する情報を取得してもよい。ＲＡＮ装置は、ＮＲまたは５Ｇ基地局（ｇＮＢ）またはＬＴＥ基地局（ｅＮＢ）を備えてもよい。
【００８８】
種々の他の変更は、当業者にとって明らかであるため、ここでは更に詳細な説明は省略する。
【００８９】
上述の実施形態の一部又は全部は、以下の付記のようにも記載され得るが、以下には限られない。
【００９０】
（付記１）
セルラ通信システム内のＵＥ（Ｕｓｅｒ  Ｅｑｕｉｐｍｅｎｔ：ユーザ機器）によって実行される方法であって、
ＵＬ（ＵｐＬｉｎｋ：上りリンク）通信をＵＬおよびＤＬ通信用の第１のキャリアまたはＵＬ通信用の補助キャリアのいずれかで受信するように構成された基地局によって運用されるセルの選択に使用するセル選択情報を上記基地局から受信すること、
上記第１のキャリアで送信された信号の測定を行うこと、および
上記第１のキャリアの測定、上記受信したセル選択情報、および上記ＵＬ通信用の補助キャリアを用いて通信を行う上記ＵＥのケイパビリティに基づいて上記基地局のセルがセル（再）選択における適切な候補であるか否かを決定することを含み、
上記セル選択情報は、上記ＵＥが上記ＵＬ通信用の補助キャリアを用いて通信を行うことができない場合に上記基地局のセルがセル（再）選択における適切な候補であるか否かを上記第１のキャリアの測定に基づいて決定することに使用する第１のセル選択情報と、
上記ＵＥが上記ＵＬ通信用の補助キャリアを用いて通信を行うことができる場合に上記基地局のセルがセル（再）選択における適切な候補であるか否かを上記第１のキャリアの測定に基づいて決定することに使用する第２のセル選択情報とを含む、方法。
【００９１】
（付記２）
システム情報のブロードキャスト中で上記情報を受信することをさらに含む、付記１に記載の方法。
【００９２】
（付記３）
上記第１のセル選択情報は、上記ＵＥが上記ＵＬ通信用の補助キャリアを用いて通信を行うことができない場合に上記第１のキャリアの測定と比較するための少なくとも１つのセル選択パラメータを含み、上記第２のセル選択情報は、上記ＵＥが上記ＵＬ通信用の補助キャリアを用いて通信を行うことができる場合に上記第１のキャリアの測定と比較するための上記セル選択パラメータに適用する少なくとも１つのオフセットを含む、付記１または付記２に記載の方法。
【００９３】
（付記４）
上記少なくとも１つのオフセットは、セル固有の（例えば、上記セルおよび／または上記補助キャリアに依存する）オフセットおよび／または周波数固有のオフセットを含む、付記３に記載の方法。
【００９４】
（付記５）
上記少なくとも１つのセル選択パラメータは、受信信号レベル値（例えば、「Ｓｒｘｌｅｖ」）および信号品質値（例えば、「Ｓｑｕａｌ」）のうち少なくとも１つを含む、付記３または付記４に記載の方法。
【００９５】
（付記６）
上記決定に基づいて、上記セルでのキャンプ、上記セルの（再）選択、およびサービングセルのセットへの上記セルの追加（例えば、キャリアアグリゲーション）のうち少なくとも１つを行うことをさらに含む、付記１から付記５のいずれか一項に記載の方法。
【００９６】
（付記７）
上記セルは、ＮＲ（Ｎｅｗ  Ｒａｄｉｏ）または（例えば、４Ｇキャリアと共有されない、関連付けられた通信帯域幅を有する）５Ｇキャリアを含む、付記１から付記６のいずれか一項に記載の方法。
【００９７】
（付記８）
上記補助キャリアは、ＮＲ（Ｎｅｗ  Ｒａｄｉｏ）または５Ｇキャリアとのアグリゲーションのための４ＧまたはＬＴＥ（Ｌｏｎｇ  Ｔｅｒｍ  Ｅｖｏｌｕｔｉｏｎ）キャリアである、付記７に記載の方法。
【００９８】
（付記９）
上記補助キャリアは、複数のユーザ機器および／または複数のセル間で共有される、付記１から付記８のいずれか一項に記載の方法。
【００９９】
（付記１０）
上記第１のキャリアは、第１の無線アクセス技術（例えば、ＮＲ（Ｎｅｗ  Ｒａｄｉｏ）または５Ｇ無線アクセス技術）に関連付けられた周波数帯域で運用され、上記補助キャリアは、第２の無線アクセス技術（例えば、ＬＴＥ（Ｌｏｎｇ  Ｔｅｒｍ  Ｅｖｏｌｕｔｉｏｎ）無線アクセス技術）に関連付けられた周波数帯域で運用される、付記１から付記９のいずれか一項に記載の方法。
【０１００】
（付記１１）
セルラ通信システム内のＵＥ（Ｕｓｅｒ  Ｅｑｕｉｐｍｅｎｔ：ユーザ機器）によって実行される方法であって、
ＲＡＮ（Ｒａｄｉｏ  Ａｃｃｅｓｓ  Ｎｅｔｗｏｒｋ：無線アクセスネットワーク）から、ＵＬ（ＵｐＬｉｎｋ：上りリンク）およびＤＬ通信用の第１キャリアまたはＵＬ通信用の補助キャリアのいずれかでＵＬ通信を受信するように構成された、上記ＲＡＮの基地局によって運用されるセルの測定に使用する測定設定を受信すること、
上記受信した測定設定に基づいて上記第１のキャリアで送信された信号の測定を行うこと、および
上記第１のキャリアの測定と、上記ＵＬ通信用の補助キャリアを用いて通信を行う上記ＵＥのケイパビリティとに基づいて、上記測定の結果を上記ＲＡＮに報告するか否かを決定することを含み、
上記測定設定は、上記ＵＥが上記ＵＬ通信用の補助キャリアを用いて通信を行うことができない場合に上記測定の結果を上記ＲＡＮに報告するか否かを上記第１のキャリアの測定に基づいて決定することに使用する第１の測定設定と、
上記ＵＥが上記ＵＬ通信用の補助キャリアを用いて通信を行うことができる場合に上記測定の結果を上記ＲＡＮに報告するか否かを上記第１のキャリアの測定に基づいて決定することに使用する第２の測定設定とを含む、方法。
【０１０１】
（付記１２）
上記第１の測定設定は、上記ＵＥが上記ＵＬ通信用の補助キャリアを用いて通信を行うことができない場合に上記第１のキャリアの測定と比較するための少なくとも１つの閾値を識別する情報を含み、上記第２の測定設定は、上記ＵＥが上記ＵＬ通信用の補助キャリアを用いて通信を行うことができる場合に上記第１のキャリアの測定と比較するための少なくとも１つの閾値に適用する少なくとも１つのオフセットを識別する情報を含む、付記１１に記載の方法。
【０１０２】
（付記１３）
上記オフセットを識別する情報を上記基地局から受信することをさらに含む、付記１２に記載の方法。
【０１０３】
（付記１４）
上記第１のキャリアの測定は、受信信号レベル値の測定および信号品質値の測定のうち少なくとも１つを含む、付記１１から付記１３のいずれか一項に記載の方法。
【０１０４】
（付記１５）
少なくとも上記第１の測定設定を個別シグナリング（例えば、ＲＲＣ（Ｒａｄｉｏ  Ｒｅｓｏｕｒｃｅ  Ｃｏｎｔｒｏｌ：無線リソース制御）シグナリング）によって受信することをさらに含む、付記１１から付記１４のいずれか一項に記載の方法。
【０１０５】
（付記１６）
上記測定設定情報は、無線アクセス技術間（ＲＡＴ間）隣接セルを測定するための測定対象（例えば、「Ｂ２」測定対象）、ＲＡＴ内隣接セルを測定するための測定対象、および周波数内隣接セルを測定するための測定対象のうち少なくとも一つを含み、上記補助キャリアは上記隣接セルを含む、付記１１から付記１５のいずれか一項に記載の方法。
【０１０６】
（付記１７）
セルラ通信システム内の基地局によって実行される方法であって、
ＵＬ（ＵｐＬｉｎｋ：上りリンク）通信をＵＬおよびＤＬ通信用の第１のキャリアまたはＵＬ通信用の補助キャリアのいずれかで受信するように構成された上記基地局によって運用されるセルの選択に使用するセル選択情報をＵＥ（Ｕｓｅｒ  Ｅｑｕｉｐｍｅｎｔ：ユーザ機器）に送信することを含み、
上記セル選択情報は、上記ＵＥが上記ＵＬ通信用の補助キャリアを用いて通信を行うことができない場合に上記基地局のセルがセル（再）選択における適切な候補であるか否かを上記第１キャリアの測定に基づいて決定することに使用する第１のセル選択情報と、
上記ＵＥが上記ＵＬ通信用の補助キャリアを用いて通信を行うことができる場合に上記基地局のセルがセル（再）選択における適切な候補であるか否かを上記第１のキャリアの測定に基づいて決定することに使用する第２のセル選択情報とを含む、方法。
【０１０７】
（付記１８）
セルラ通信システム内のＲＡＮ（Ｒａｄｉｏ  Ａｃｃｅｓｓ  Ｎｅｔｗｏｒｋ：無線アクセスネットワーク）装置によって実行される方法であって、
ＵＬ（ＵｐＬｉｎｋ：上りリンク）およびＤＬ通信用の第１キャリアまたはＵＬ通信用の補助キャリアのいずれかでＵＬ通信を受信するように構成された上記ＲＡＮの基地局によって運用されるセルの測定に使用する測定設定をＵＥ（Ｕｓｅｒ  Ｅｑｕｉｐｍｅｎｔ：ユーザ機器）に送信すること、および
上記測定設定に対応する測定結果を受信することを含み、
上記測定設定は、上記ＵＥが上記ＵＬ通信用の補助キャリアを用いて通信を行うことができない場合に上記測定の結果を上記ＲＡＮ装置に報告するか否かを上記第１のキャリアの測定に基づいて決定することに使用する第１の測定設定と、
上記ＵＥが上記ＵＬ通信用の補助キャリアを用いて通信を行うことができる場合に上記測定の結果を上記ＲＡＮ装置に報告するか否かを上記第１のキャリアの測定に基づいて決定することに使用する第２の測定設定とを含む、方法。
【０１０８】
（付記１９）
隣接する基地局および／またはＯＡＭ（Ｏｐｅｒａｔｉｏｎｓ  Ａｎｄ  Ｍａｉｎｔｅｎａｎｃｅ：運用および保守）エンティティから上記第２の測定設定に関する情報を取得することを含む、付記１８に記載の方法。
【０１０９】
（付記２０）
上記ＲＡＮ装置は、ＮＲ（Ｎｅｗ  Ｒａｄｉｏ）または５Ｇ基地局（ｇＮＢ）を含む、付記１１から付記１９のいずれか一項に記載の方法。
【０１１０】
（付記２１）
上記ＲＡＮ装置は、ＬＴＥ（Ｌｏｎｇ  Ｔｅｒｍ  Ｅｖｏｌｕｔｉｏｎ）基地局（ｅＮＢ）を含む、付記１１から付記２０のいずれか一項に記載の方法。
【０１１１】
（付記２２）
セルラ通信システム用のＵＥ（Ｕｓｅｒ  Ｅｑｕｉｐｍｅｎｔ：ユーザ機器）であって、
上記ＵＥは、トランシーバおよびコントローラを具備し、
上記トランシーバは、ＵＬ（ＵｐＬｉｎｋ：上りリンク）およびＤＬ通信用の第１のキャリアまたはＵＬ通信用の補助キャリアのいずれかでＵＬ通信を受信するように構成された基地局によって運用されるセルの選択に使用するセル選択情報を上記基地局から受信するように構成され、
上記コントローラは、上記第１のキャリアで送信された信号の測定を行い、上記第１のキャリアの測定、上記受信したセルの選択情報、および上記ＵＬ通信の補助キャリアを用いて通信を行う上記ＵＥのケイパビリティに基づいて上記基地局のセルがセル（再）選択における適切な候補であるか否かを決定するように構成され、
上記セル選択情報は、上記ＵＥが上記ＵＬ通信用の補助キャリアを用いて通信を行うことができない場合に上記基地局のセルがセル（再）選択における適切な候補であるか否かを上記第１のキャリアの測定に基づいて決定することに使用する第１のセル選択情報と、
上記ＵＥが上記ＵＬ通信用の補助キャリアを用いて通信を行うことができる場合に上記基地局のセルがセル（再）選択における適切な候補であるか否かを上記第１のキャリアの測定に基づいて決定することに使用する第２のセル選択情報とを含む、ＵＥ。
【０１１２】
（付記２３）
セルラ通信システム用のＵＥ（Ｕｓｅｒ  Ｅｑｕｉｐｍｅｎｔ：ユーザ機器）であって、
上記ＵＥは、トランシーバおよびコントローラを具備し、
上記トランシーバは、ＲＡＮ（Ｒａｄｉｏ  Ａｃｃｅｓｓ  Ｎｅｔｗｏｒｋ：無線アクセスネットワーク）から、ＵＬ（ＵｐＬｉｎｋ：上りリンク）およびＤＬ通信用の第１キャリアまたはＵＬ通信用の補助キャリアのいずれかでＵＬ通信を受信するように構成された、上記ＲＡＮの基地局によって運用されるセルの測定に使用する測定設定を受信するように構成され、
上記コントローラは、上記受信した測定設定に基づいて、上記第１のキャリアで送信された信号の測定を行い、上記第１のキャリアの測定と、上記ＵＬ通信用の補助キャリアを用いて通信を行う上記ＵＥのケイパビリティとに基づいて、上記測定の結果を上記ＲＡＮに報告するか否かを決定するように構成され、
上記測定設定は、上記ＵＥが上記ＵＬ通信用の補助キャリアを用いて通信を行うことができない場合に上記測定の結果を上記ＲＡＮに報告するか否かを上記第１のキャリアの測定に基づいて決定することに使用する第１の測定設定と、
上記ＵＥが上記ＵＬ通信用の補助キャリアを用いて通信を行うことができる場合に上記測定の結果を上記ＲＡＮに報告するか否かを上記第１のキャリアの測定に基づいて決定することに使用する第２の測定設定とを含む、ＵＥ。
【０１１３】
（付記２４）
セルラ通信システム用の基地局であって、
上記基地局は、トランシーバおよびコントローラを具備し、
上記コントローラは、上記基地局によって運用されるセルの選択に使用するセル選択情報をＵＥ（Ｕｓｅｒ  Ｅｑｕｉｐｍｅｎｔ：ユーザ機器）に送信するように構成され、上記基地局は、ＵＬ（ＵｐＬｉｎｋ：上りリンク）およびＤＬ通信用の第１のキャリアまたはＵＬ通信用の補助キャリアのいずれかでＵＬ通信を受信するように構成され、
上記セル選択情報は、上記ＵＥが上記ＵＬ通信用の補助キャリアを用いて通信を行うことができない場合に上記基地局のセルがセル（再）選択における適切な候補であるか否かを上記第１キャリアの測定に基づいて決定することに使用する第１のセル選択情報と、
上記ＵＥが上記ＵＬ通信用の補助キャリアを用いて通信を行うことができる場合に上記基地局のセルがセル（再）選択における適切な候補であるか否かを上記第１キャリアの測定に基づいて決定することに使用する第２のセル選択情報を含む、基地局。
【０１１４】
（付記２５）
セルラ通信システム用のＲＡＮ（Ｒａｄｉｏ  Ａｃｃｅｓｓ  Ｎｅｔｗｏｒｋ：無線アクセスネットワーク）の装置であって、
上記ＲＡＮ装置は、トランシーバおよびコントローラを具備し、
上記トランシーバは、ＵＬ（ＵｐＬｉｎｋ：上りリンク）およびＤＬ通信用の第１キャリアまたはＵＬ通信用の補助キャリアのいずれかでＵＬ通信を受信するように構成された上記ＲＡＮの基地局によって運用されるセルの測定に使用する測定設定をＵＥ（Ｕｓｅｒ  Ｅｑｕｉｐｍｅｎｔ：ユーザ機器）に送信し、
上記測定設定に対応する測定結果を受信するように構成され、
上記測定設定は、上記ＵＥが上記ＵＬ通信用の補助キャリアを用いて通信を行うことができない場合に上記測定の結果を上記ＲＡＮ装置に報告するか否かを上記第１のキャリアの測定に基づいて決定することに使用する第１の測定設定と、
ＵＥがＵＬ通信用の補助キャリアを用いて通信を行うことができる場合に上記測定の結果を上記ＲＡＮ装置に報告するか否かを上記第１のキャリアの測定に基づいて決定することに使用する第２の測定設定と、を含むＲＡＮ装置。
【０１１５】
（付記２６）
付記２４に記載の少なくとも１つの基地局または付記２５に記載の少なくとも１つの装置、および付記２２または付記２３に記載の少なくとも１つのユーザ機器を具備する、セルラ通信システム。
【０１１６】
（付記２７）
プログラム可能なデバイスを、付記２４に記載の基地局または付記２５に記載の装置、または付記２２または付記２３に記載のユーザ機器として構成するためのコンピュータによって実行可能な命令を具備する、コンピュータによって実行可能なプログラム。
【０１１７】
本出願は、２０１７年９月２９日に出願された英国特許出願第１７１５９２１．１号に基づく優先権の利益に基づいており、その開示はその全体が参照により本明細書に組み込まれる。
【図１】
2020535715.tif 000003
【図２】
2020535715.tif 000004
【図３】
2020535715.tif 000005
【図４】
2020535715.tif 000006
【図５ａ】
2020535715.tif 000007
【図５ｂ】
2020535715.tif 000008
【国際調査報告】
2020535715.tif 000009
2020535715.tif 000010
2020535715.tif 000011